(57)【要約】【課題】軽量小型、簡単な構成で、直径の大きな液晶レンズを実現可能で、また、電気的に焦点距離の調整機能が容易で応答特性も良い液晶光学素子を得る。【解決手段】基本的には、第1の電極１１とカバー基板１３との間に液晶層１４を構成し、この液晶セルと、ガラスレンズ１５を積層し、電極１２を設ける。これにより、広範囲の構造寸法を有するレンズを得ることができ、また入射光の波面制御や光学素子における収差の補償機能を持たせることができる。また液晶層自身は厚みを薄くしてもよく、応答特性を向上することができる。【選択図】      図１
2005115266.tif 000002
【特許請求の範囲】
【請求項１】
透明な第1の電極を有する平行平板からなる第1の基板と、
電極を有しない平行平板からなり、前記第1の基板に一方の面が対向した第1のカバー基板と、
前記カバー基板の他方の面に対向した透明な第２の電極を有する平行平板からなる第２の基板と、
前記第1の基板と、前記カバー基板との間に収容された液晶層と、
前記第１のカバー基板と前記第２の電極との間に配置されて、曲面構造で透明な絶縁性媒体と
を具備したことを特徴とする液晶光学素子。
【請求項２】
前記第２の電極と対向した第2のカバー基板と、
前記第２のカバー基板と前記第２の電極との間に収容された第2の液晶層と
を更に有したことを特徴とする請求項1記載の液晶光学素子。
【請求項３】
前記曲面構造の透明な絶縁性媒体は、その曲面の形状が半球面又は球面の一部であることを特徴とする請求項1又は２記載の液晶光学素子。
【請求項４】
前記曲面構造の透明な絶縁性媒体は、その曲面の形状が正弦波関数又は正弦波関数の重畳関数で与えられていることを特徴とする請求項1又は２記載の液晶光学素子。
【請求項５】
前記曲面構造の透明な絶縁性媒体は、その曲面の形状がべき乗の関数で与えられていることを特徴とする請求項1又は２記載の液晶光学素子。
【請求項６】
前記液晶層は、透明な絶縁層で分割されていることを特徴とする請求項１、２，３，４又は５のいずれかに記載の液晶光学素子。
【請求項７】
前記第1，第２の電極の両電極に駆動電圧が与えられたとき、又は両電極間の電圧が可変されたときに、いずれか一方の電極に一定時間電位勾配を与える手段が設けられていることを特徴とする請求項１、２，３，４,５又は６のいずれかに記載の液晶光学素子。
【請求項８】
前記第1の基板と、前記第1のカバー基板と、前記第２の基板と、前記液晶層と、前記曲面構造の透明な絶縁性媒体とによる構造体が、２次元アレイ状に配列されていることを特徴とする請求項１,２，３，４,５,６又は７のいずれかに記載の液晶光学素子。
【請求項９】
前記液晶層は重合硬化性液晶からなり、前記液晶層に所定の電界を与え液晶分子の配向を制御した状態で紫外線または可視光線を照射して重合硬化させていることを特徴とする請求項請求項１,２，３，４,５,６,７又は８のいずれかに記載の液晶光学素子。
【請求項１０】
前記第1の基板と、前記第２の基板又はいずれか一方の基板が剥離されていることを特徴とする請求項９記載の液晶光学素子。
【発明の詳細な説明】
【技術分野】
【０００１】
本発明は、簡単な構造であり、外部電圧により光学特性を可変することができる液晶光学素子に関する。
【背景技術】
【０００２】
液晶の特徴を利用した液晶表示素子は、薄型軽量の平板型表示素子として、目覚ましい発展を続けている。液晶分子の配向状態は、液晶表示素子を構成する２枚の透明導電膜を付したガラス基板の表面の処理や、外部印加電圧により容易に制御することができる。
【０００３】
ネマティック液晶セルにおいて、液晶分子は電界の方向に配向するという性質を利用すると、軸対称的な不均一電界による液晶分子配向効果により、空間的な屈折率分布特性を有する液晶レンズを得ることができる。例えば、特開平１１−１０９３０４号公報では、液晶マイクロレンズが開示されており、焦点位置を光軸方向と光軸に垂直な方向とのいずれにも制御できるようにした技術が開示されている。
【特許文献１】特開平１１−１０９３０４号公報
【発明の開示】
【発明が解決しようとする課題】
【０００４】
ところで、上記の文献は、液晶マイクロレンズについて開示されているが、液晶レンズの利用分野としては、レンズ直径１ｍｍ以上の液晶レンズを要望する分野もある。例えば、撮像用レンズ、顕微鏡、眼鏡、光ファイバーのスイッチ素子などである。またレンズの機能としては、入射光の波面や収差の補正などの機能が要望されることもある。しかし従来は、このような要望に応じた液晶レンズがない。
【０００５】
直径が数ｍｍ以上のレンズを構成しようとすると、凸レンズでは液晶層の中央部分の厚み、凹レンズでは液晶層の周囲部分の厚みが数１００ミクロン以上の厚みとなる。液晶層の厚みが大きくなると、液晶分子の配向動作が低下し白濁現象が生じるという問題がある。ネマチック液晶セルでは、電極に印加した電圧により電界が生じ、この電界に対して液晶分子が電界方向に配向する。このときの応答特性は、液晶層の厚みの2乗に比例して長くなるという特性がある。このことは、液晶層の厚みが大きいことは、電極に印加する電圧を変化させて焦点距離を可変するのに必要な時間が長くなるということを意味する。
【０００６】
そこで、この発明の目的とするところは、軽量小型で、簡単な構成であり、直径の大きな液晶レンズを容易に実現可能であること、また、機械的な手段を用いることなく焦点距離の調整機能が容易で、応答特性も良い液晶光学素子を提供することにある。
【課題を解決するための手段】
【０００７】
この発明は、基本的には、透明な第1の電極を有する平行平板からなる第1の基板と、電極を有しない平行平板からなり、前記第1の基板に一方の面が対向した第1のカバー基板と、前記カバー基板の他方の面に対向した透明な第２の電極を有する平行平板からなる第２の基板と、前記第1の基板と、前記カバー基板との間に収容された液晶層と、前記第１のカバー基板と前記第２の電極との間に配置されて、曲面構造で透明な絶縁性媒体とを有する。
【発明の効果】
【０００８】
この発明によれば、広範囲の構造寸法を有するレンズを得ることができ、また入射光の波面制御や光学素子における収差の補償機能を持たせることができる。また液晶層自身は厚みを薄くしてもよく、応答特性を向上することができる。
【発明を実施するための最良の形態】
【０００９】
以下この発明の実施の形態を図面を参照して説明する。図１には、この発明の一実施の形態であって、基本的構成を示している。
【００１０】
図１はこの発明の原理を理解するための基本構成を示している。図１において、１１は第1の電極（又は基底電極）であり、１２は第2の電極である。１３は、カバー基板である。第1の電極１１とカバー基板１３との間には、液晶層１４が形成されている。カバー基板１３と第2の電極１２との間には、凹レンズ部を有したガラスレンズ１５が配置される。つまり、凹レンズが液晶セル上に置かれた形である。１つの電極１１は液晶セル内にあり、第2の電極１２はガラスレンズ１５の頂点上にあることになる。
【００１１】
ここで、
ｔcoverはカバー基板１３の厚み、ｔLCは、液晶層１４の厚みである。
【００１２】
ｔeGLはガラスレンズ１５の端の厚み、ｔGLはガラスレンズの半径方向の位置
ρ＝（ｘ2＋ｙ2）1/2により変化するガラスレンズの厚みである。
【００１３】
液晶ダイレクタ（液晶分子）は、ｘ軸に平行に配向するような処理が施されている。座標の原点は基底電極１１の中心にある。簡単にするために、ガラスレンズ１５とカバー基板１３の誘電率は同一と仮定する。
【００１４】
今、電圧Ｖ0が電極１２を介して印加されると、電界Eが液晶層１４に加わり、ガラスレンズ１５の凹部に対応する液晶層１４における液晶分子（ＬＣダイレクタ）が再配向する。液晶層１４における液晶分子の再配向と同時に、液晶層１４の屈折率分布が変化する。再配向前の状態のみを考慮すると、電界Ｅの分布は、誘電率とガラスと液晶の次元、およびガラスの形状の関数である。これは、
【００１５】
【数１】
2005115266.tif 000003
と推定される、ここで、定数ａｂｃは
【００１６】
【数２】
2005115266.tif 000004
であり、
εgは、ガラスの誘電率
εｖは、液晶ダイレクタに垂直な液晶の誘電率
ｔcoverは、カバー基板１３の厚み
ｔLCは、液晶層の厚み
ｔeＧＬは、ガラスレンズ１５の端の厚み
ｔGLは、ガラスレンズの半径方向の位置ρ＝（ｘ2＋ｙ2）1/2により変化するガラスレンズ１５の厚み
a-btGLは正の数
ＥはｔGLにより増加すると解される。したがって、液晶において電界は中心で最も弱く、開口端で最も強い。
【００１７】
静電界における公式  ▽・V＝０であり、ここで電気変位Ｄは、Ｄ＝ε・Ｅであり、電極間の空間における電位Ｖはガラスおよび空気中で
【００１８】
【数３】
2005115266.tif 000005
を満たし、さらに液晶中で、
【００１９】
【数４】
2005115266.tif 000006
【００２０】
を満たす。ここで、εPはローカル液晶ダイレクタに平行な液晶平行の誘電率であり、２つの異なる誘電体間の界面で、Ｄの界面に垂直方向の成分は連続する。印加された電圧はＶ0＝５０Ｖであり、式は数値的に積分される。計算において、物理的および幾何学的パラメータに対して以下の値が使用される：
【数５】
2005115266.tif 000007
【００２１】
計算結果は図２で示される。ガラスレンズにおいて、GLｒは、ガラスレンズの曲率半径、
図２（ａ）は平面ｘ＝０内の等電位線を示す。それぞれの領域は空気、ガラス、および液晶で占められた空間をそれぞれ示す。推定にしたがって、液晶において開口内部の電界分布は中心で最も弱く、端で最も強い。図２（ｂ）は平面ｚ＝ｔLC／２内の等電位線を示す。電界は中心対称な分布をしている。
【００２２】
液晶ダイレクタは、電気的トルクΔεE2sinα/(4π)により傾斜する。ここでαは、液晶ダイレクタと電界との間の角度であり、Δεは液晶の誘電率異方性であり、
液晶ダイレクタは電界による配向力と液晶の弾性的な力との釣り合いによって決まる配向状態となる。すなわち電界分布に対応するように液晶ダイレクタの傾斜角θは中心で最小となり、端で最大となる。異常光に対する位相シフトは
【数６】
2005115266.tif 000008
【００２３】
である。ここでλは光波の波長であり、
ｎ0およびｎeはそれぞれ液晶の常光および異常光に対する屈折率である。この位相シフトは釣り鐘状となり、中心で最大となり、端で最小となる。分布図はＶ0により変化する。Ｖ0の範囲において、位相シフト分布図が二次曲線または二次曲面に近くなった場合、液晶層は電気的に調整可能な焦点距離を有する光学レンズのようにはたらく。このように、ガラスレンズと液晶層の合成は、ガラスレンズの開口に近い開口と、ガラスレンズの焦点距離から変化し得る焦点距離を持つ複合体レンズとなる。
【００２４】
図３には、本発明のさらに第2の実施の形態を示している。ここでは、２つの同一の液晶層を使用している。
【００２５】
３１は、ＩＴＯ電極（透明な第1の電極１１）を持つ、透明な第1のガラス基板（平行平板）であり、４１は、透明な第2の電極１２をもつ、透明な第2のガラス基板（平行平板）である。さらに、３３は、カバー基板であり、このカバー基板３３と、第1の電極１１間には、液晶層３４が形成されている。また上記の第2の電極１２と対向してカバー基板４３が配置され、このカバー基板４３と第2の電極１２との間に第2の液晶層４４が形成されている。カバー基板３３と、カバー基板４３との間には、ガラスレンズ５０が配置されている。第1、第2の電極１１、１２間には、電源電圧のオンオフ、或は電源電圧の可変が可能となっている。さらには、レンズ機能を立ち上げるときに、いずれか一方の電極に対して液晶分子の配向を整えるための電圧を一定期間印加する電圧印加回路が接続されてもよい。
【００２６】
ガラスレンズ５０は、シグマ光器製  SLB-10B-40Nのガラスであり、それぞれ１つのＩＴＯ電極を持つ２つの液晶セル間で挟まれた形である。ネマティックな液晶はMerckＥ４４である。液晶に接触している基板表面はポリミド（JSR Optmer AL1254）膜により覆われ、液晶のダイレクタが基板に平行に一方向に配向するように、図中の矢印によって示される方向にラビングされている。ガラスレンズ５０の端の厚みおよびディオプタは、それぞれ
ｔeGL = 2.6mm、  DGL = -25.2m-1
である。
【００２７】
ガラスレンズと液晶の他のパラメータは計算に用いられているのと同一である。電極を介して電圧Ｖ0が印加されるとき、ガラスレンズ５０の厚みの変化に対応し、液晶層において軸対称な不均一の電界分布が形成され、不均一なダイレクタの再配向が行われる。
【００２８】
異常光入射の波面におけるダイレクタの再配向の効果を検証するために、我々は以下の干渉方法を用いて波面を測定する。システムは、各偏光子に対して４５°のラビング方向を持つ２つの直交偏光子間に置かれる。He-Neレーザからの入射光波は第１の偏光子によって常光と異常光とに分けられる。第２の偏光子は２つの波を再合成させて干渉させる。
【００２９】
常光は液晶層において均一な位相シフトを受けるので、干渉パターンは液晶層から生じた異常光に関する位相シフトを表す。
【００３０】
実験においては、入射光ビームがガラスの開口よりもわずかに小さくなるよう8.5mmの直径のマスクを使用した。
【００３１】
図４はV0が70,90,および100Vrmsでの干渉パターンを示す。予想されるように、パターンはV0により変化する。マスクの開口端から出力された異常光線に対して、位相シフト量がゼロであると仮定する。
【００３２】
相対位相遅延φは干渉パターンから計算され、これは図５で示される。点は測定値を示し、これにあわせて近似二次曲線が描かれている。相対位相遅延はＶ0の大きな範囲でほぼ二次曲線となり、液晶層は光学レンズとして十分機能する。液晶層の位相変換が
【数７】
2005115266.tif 000009
【００３３】
として表され、ここでｋは光波の波数であり、ｆLCは液晶層によって形成されたレンズの焦点距離である。測定された位相シフト分布から、種々の印加電圧Ｖ0における液晶レンズのディオプタDLC=1/fLCが求められ、ガラスレンズと液晶レンズを組み合せたシステムのディオプタは
【数８】
2005115266.tif 000010
となる。
【００３４】
図６はこの組み合せレンズシステムのディオプタをＶ0の関数で示す。組み合せレンズシステムは、18 Vrms -125VrmsのＶ0の範囲において、すぐれたレンズ特性を示す。黒点はこの範囲内の測定値を示す。開口端に近いダイレクタの再配向は中心の再配向よりも大きい。再配向の差はＶ0がまだ小さいときにＶ0により大きくなる。Ｖ0が十分大きくなると、
開口端に近いダイレクタの回転が飽和に近づく一方で、中心に近いダイレクタは引き続き電界により回転する。再配向の空間分布図はその後平坦に近くなる。したがって、ＤはまずＶ0により増加し、最大値に達した後、減少し始める。Ｖ0が非常に大きくなると、液晶ダイレクタのほとんどすべては角度π／２まで回転し、光ビームの位相シフトの空間分布が消滅し、レンズシステムのディオプタＤ（Ｖ0）がガラスレンズＤGLのディオプタに近づく。
【００３５】
２つの液晶層の光学軸が互いに垂直に配置されている場合、上下の液晶層は任意の偏光の入射光波の二つの成分にそれぞれ作用するので、このレンズシステムを任意の偏向の光波に適用することができる。
【００３６】
上記したように、可変焦点レンズは、１つまたは２つの液晶層およびガラスレンズを使用して作られる。その焦点距離はガラスレンズの焦点距離の値から電気的に変化する。
【００３７】
可変焦点レンズは多くのアプリケーションで使用される。本発明の液晶レンズ（ＬＣＬ）は新しいタイプの可変焦点レンズである。液晶（ＬＣ）部材は、大きな電気的・光学的異方性を持ち、それらの光学特性は外部電界により容易に変化する。液晶からなるレンズは電気的に調整可能な焦点距離を有する。したがって焦点距離の変化はより正確であり便利である。そして従来の機械的な可変焦点レンズをコンパクトで軽量な本発明の液晶レンズに置き換えることが可能となる。
【００３８】
この発明は上記の実施形態に限定されるものではない。本発明では、レンズ機能を得るために、軸対称に不均一な電界分布による分子配向効果を利用している。ここで、第1、第2の電極１１、１２、つまり対向電極間に電圧を印加するとき又は電圧を可変するときに、少なくとも一方の電極に一定時間電位勾配を与える手段を有してもよい。即ち、対向電極間に電圧を印加し始めたとき又は電圧を可変し始めたときに、同期して、一方の電極に電位勾配を与えるのである。このために、電位勾配を与える電極は、抵抗性を持つことが好ましい。例えば第１の電極が１００Ω〜１ＭΩの電気抵抗を有してもよい。
【００３９】
すると、対向電極（第１、第２の電極）間に電圧を与えるときに、一方の電極（第１の電極）に対して、一定時間電位勾配を与えるので、電界により液晶分子が基板面から立ち上がる方向が一方向に整列される。このために対向電極間に電圧を与えたときに、液晶レンズの特性悪化となるディスクリネーションラインの発生が抑制される。結果として、対向電極間に印加する電圧を高くすることができ、応答特性、さらには回復特性の改善を得ることが可能となる。勿論光学特性も良好となる。
【００４０】
上記したようにこの発明の液晶光学素子は、基本的な構成として、透明な第1の電極１１を有する平行平板からなる第1の基板３１と、電極を有しない平行平板からなり、前記第1の基板３１に一方の面が対向した第２の基板（カバー基板１３）と、前記第２の基板３３の他方の面に対向した透明な第２の電極１２を有する平行平板からなる第３の基板４４と、前記第1の基板３１と、前記第２の基板１３との間に収容された液晶層３４と、前記第２の基板３３と前記第２の電極１２との間に配置されて、曲面構造で透明な絶縁性媒体（ガラスレンズ５０）とを有する。
【００４１】
さらに、前記第２の電極と対向した第４の基板４３と、前記第４の基板４３と前記第２の電極との間に収容された第2の液晶層４４とを有してもよい。前記曲面構造の透明な絶縁性媒体５０は、その曲面の形状が半球面又は球面の一部である。前記曲面構造の透明な絶縁性媒体５０は、その曲面の形状が正弦波関数又は正弦波関数の重畳関数で与えられている。または前記曲面構造の透明な絶縁性媒体５０は、その曲面の形状がべき乗の関数で与えられている。さらに前記液晶層は、透明な絶縁層を有する。
【００４２】
またこの発明では、前記第1，第２の電極の両電極に駆動電圧が与えられたとき、又は両電極間の電圧が可変されたときに、いずれか一方の電極に一定時間電位勾配を与える手段が設けられていてもよい。またこの発明では、前記第1の基板と、前記第２の基板と、前記第３の基板と、前記液晶層と、前記曲面構造の透明な絶縁性媒体とによる構造体が、２次元アレイ状に配列されていてもよい。
【００４３】
また、この発明では、入射光の波面制御や光学素子における収差の補償機能を持たせることができる。これは透明な合成樹脂製媒体を特定の形状とすることで、外部電圧印加により、波面の制御や収差の補正を行うこともできる。
【００４４】
またこの発明では、前記液晶層は、重合硬化性液晶からなり、前記液晶層に所定の電圧を印加して、液晶分子の配向を制御した状態で紫外線又は可視光線を照射して重合硬化させてもよい。更にこの状態で、上記の第1,第2の基板若しくはいずれかを剥離してもよい。
【図面の簡単な説明】
【００４５】
【図１】本発明の基本的構成と機能を説明するために示した図。
【図２】図１の液晶素子のレンズ機能を説明するために平面ｘ＝０およびｚ＝ｔLC／２内の等電位線を示す図。
【図３】本発明の液晶素子の具体的構成例を示す図。
【図４】本発明に係る液晶素子における干渉パターンの例を示す説明図。
【図５】本発明に係る液晶素子において、印加された各種電圧における位相遅延の分布の様子を示す図。
【図６】本発明に係る液晶素子において、印加された電圧により変化するディオプタを示す図。
【符号の説明】
【００４６】
１１…第1の電極、１２…第2の電極、１３…カバー基板、１４…液晶層、１５…ガラスレンズ、３１…第1の基板、３３…カバー基板、３４…液晶層、４１…第2の基板、４３…カバー基板、４４…液晶層、５０…ガラスレンズ。
【図１】
2005115266.tif 000011
【図２】
2005115266.tif 000012
【図３】
2005115266.tif 000013
【図４】
2005115266.tif 000014
【図５】
2005115266.tif 000015
【図６】
2005115266.tif 000016